(57)【要約】  【課題】  紛失や盗難に対してデータのセキュリティを確保することができない。  【解決手段】  データを記憶するデータ記憶部２２を備えた携帯可能なＵＳＢメモリ２と、このＵＳＢメモリ２と無線通信してセキュリティ管理する管理端末３とを有するＵＳＢメモリ用セキュリティシステム１であって、ＵＳＢメモリ２は、管理端末３からの消去タイマ起動コマンドを検出すると、消去用タイマ時間の計時動作を開始し、消去用タイマ時間がタイムアップしたか否かを判定するタイマ時間監視部２９Ｄと、消去用タイマ時間がタイムアップしたと判定されると、データ記憶部に記憶中のデータを消去するメモリ側記憶制御部２９Ｂとを有するようにした。【選択図】図２
2006330949.tif 000002
【特許請求の範囲】
【請求項１】
データを記憶するデータ記憶領域を備えた携帯可能な外部記憶媒体と、この外部記憶媒体と無線通信して同外部記憶媒体をセキュリティ管理する外部制御装置とを有する外部記憶媒体セキュリティ管理システムであって、
前記外部記憶媒体は、
タイマ時間を設定するタイマ時間設定手段と、
前記外部制御装置からの起動コマンドに応じて、前記タイマ時間設定手段にて設定したタイマ時間の計時動作を開始すると、同タイマ時間がタイムアップしたか否かを判定するタイマ時間監視判定手段と、
このタイマ時間監視判定手段にて同タイマ時間がタイムアップしたと判定されると、前記データ記憶領域に記憶中のデータを消去する制御手段とを有することを特徴とする外部記憶媒体セキュリティ管理システム。
【請求項２】
データを記憶するデータ記憶領域を備えた携帯可能な外部記憶媒体と、この外部記憶媒体と無線通信して同外部記憶媒体をセキュリティ管理する外部制御装置とを有する外部記憶媒体セキュリティ管理システムであって、
前記外部記憶媒体は、
タイマ時間を設定するタイマ時間設定手段と、
前記外部制御装置からの起動コマンドに応じて、前記タイマ時間設定手段にて設定したタイマ時間の計時動作を開始すると、同タイマ時間がタイムアップしたか否かを判定するタイマ時間監視判定手段と、
このタイマ時間監視判定手段にて同タイマ時間がタイムアップしたと判定されると、タイムアップ通知を前記外部制御装置に通知し、前記外部制御装置からのデータ消去コマンドを検出すると、前記データ記憶領域に記憶中のデータを消去する制御手段とを有することを特徴とする外部記憶媒体セキュリティ管理システム。
【請求項３】
前記制御手段は、
前記タイマ時間監視判定手段にて同タイマ時間がタイムアップしたと判定されると、タイムアップ通知を前記外部制御装置に通知し、前記外部制御装置からのリセットコマンドを検出すると、現在のタイマ時間の計時動作をリセットした後、再度、前記タイマ時間設定手段にて設定したタイマ時間の計時動作を開始すべく、前記タイマ時間監視判定手段を制御することを特徴とする請求項２記載の外部記憶媒体セキュリティ管理システム。
【請求項４】
データを記憶するデータ記憶領域を備えた携帯可能な外部記憶媒体と、この外部記憶媒体と所定周期でポーリング通信を実行して同外部記憶媒体をセキュリティ管理する外部制御装置とを有する外部記憶媒体セキュリティ管理システムであって、
前記外部記憶媒体は、
前記外部制御装置とのポーリング通信が所定周期内にあるか否かを判定するポーリング通信監視手段と、
このポーリング通信監視手段にて前記外部制御装置とのポーリング通信が所定周期内にないと判定されると、前記データ記憶領域に記憶中のデータを消去する制御手段とを有することを特徴とする外部記憶媒体セキュリティ管理システム。
【請求項５】
前記外部記憶媒体は、
タイマ時間を設定するタイマ時間設定手段と、
このタイマ時間設定手段にて設定したタイマ時間の計時動作を開始すると、同タイマ時間がタイムアップしたか否かを判定するタイマ時間監視判定手段とを有し、
前記制御手段は、
前記ポーリング通信監視手段にて前記外部制御装置とのポーリング通信が所定周期内にないと判定されると、前記タイマ時間の計時動作を開始すべく、前記タイマ時間監視判定手段を制御し、同タイマ時間監視判定手段にて同タイマ時間がタイムアップしたと判定されると、前記データ記憶領域に記憶中のデータを消去することを特徴とする請求項４記載の外部記憶媒体セキュリティ管理システム。
【請求項６】
前記制御手段は、
前記データ記憶領域に記憶中のデータの外部読出アクセスを検出した後、前記ポーリング通信監視手段にて前記外部制御装置とのポーリング通信が所定周期内にあると判定されると、前記データ記憶領域に記憶中のデータの読み出しを許可し、前記ポーリング通信監視手段にて前記外部制御装置とのポーリング通信が所定周期内にないと判定されると、前記データ記憶領域に記憶中のデータを消去することを特徴とする請求項４記載の外部記憶媒体セキュリティ管理システム。
【請求項７】
データを記憶するデータ記憶領域を備えた携帯可能な外部記憶媒体と、この外部記憶媒体と無線通信する外部制御装置とを備え、前記外部制御装置が同外部記憶媒体をセキュリティ管理する外部記憶媒体セキュリティ管理方法であって、
前記外部制御装置からの起動コマンドに応じて、前記外部記憶媒体側で設定したタイマ時間の計時動作を開始し、
同タイマ時間がタイムアップすると、前記データ記憶領域に記憶中のデータを消去することを特徴とする外部記憶媒体セキュリティ管理方法。
【請求項８】
データを記憶するデータ記憶領域を備えた携帯可能な外部記憶媒体と、この外部記憶媒体と無線通信する外部制御装置とを備え、前記外部制御装置が同外部記憶媒体をセキュリティ管理する外部記憶媒体セキュリティ管理方法であって、
前記外部制御装置からの起動コマンドに応じて、前記外部記憶媒体側で設定したタイマ時間の計時動作を開始し、
同タイマ時間がタイムアップすると、タイムアップ通知を前記外部制御装置に通知し、
前記外部制御装置からのデータ消去コマンドを検出すると、前記データ記憶領域に記憶中のデータを消去することを特徴とする外部記憶媒体セキュリティ管理方法。
【請求項９】
前記外部制御装置からのリセットコマンドを検出すると、現在のタイマ時間の計時動作をリセットし、
同リセット後、再度、改めて前記タイマ時間の計時動作を開始することを特徴とする請求項８記載の外部記憶媒体セキュリティ管理方法。
【請求項１０】
データを記憶するデータ記憶領域を備えた携帯可能な外部記憶媒体と、この外部記憶媒体と所定周期間隔でポーリング通信を実行する外部制御装置とを備え、前記外部制御装置が同外部記憶媒体をセキュリティ管理する外部記憶媒体セキュリティ管理方法であって、
前記外部記憶媒体側にて前記外部制御装置とのポーリング通信が所定周期内にあるか否かを判定し、
前記外部制御装置とのポーリング通信が所定周期内にないと判定されると、前記データ記憶領域に記憶中のデータを消去することを特徴とする外部記憶媒体セキュリティ管理方法。
【発明の詳細な説明】
【技術分野】
【０００１】
本発明は、例えばパソコン内のデータを外部記憶するデータ記憶領域を備えた携帯可能な、例えばＵＳＢメモリ等の外部記憶媒体と、この外部記憶媒体と無線通信すると共に、同外部記憶媒体をセキュリティ管理する機能を備えた、例えば携帯電話機等の外部制御装置とを有する外部記憶媒体セキュリティ管理システム及び外部記憶媒体セキュリティ管理方法に関する。
【背景技術】
【０００２】
近年、例えばパソコン内の大容量のデータを記憶可能とするデータ記憶領域を備えた、例えばＵＳＢメモリ等の携帯可能な外部記憶媒体が広く普及している。
【０００３】
しかしながら、外部記憶媒体は携帯可能であるために、盗難や紛失してしまう虞があるため、同外部記憶媒体に記憶したデータのセキュリティを確保することが必須である。
【０００４】
そこで、昨今の外部記憶媒体にはソフト的にパスワード保護機能を持たせ、同外部記憶媒体をパソコンに接続して同パソコンからパスワードを入力し、このパスワードが合致した場合にのみ、同外部記憶媒体に記憶中のデータにアクセスすることができる機能が広く知られている。
【０００５】
しかしながら、このようなパスワード保護機能を備えた外部記憶媒体であっても、仮にパスワードを解読された場合には簡単に記憶中のデータにアクセスされてしまうことになるため、今後一層のセキュリティの向上が望まれているのが実情である。
【０００６】
そこで、ＵＳＢメモリ等の外部記憶媒体の技術分野ではないが、従来から記憶媒体に記憶中のデータの保護という観点から様々な方法が知られている（例えば特許文献１及び特許文献２参照）。
【０００７】
例えば特許文献１は、ＩＣカード等のメモリカードに記憶中のデータの保護に関するものであって、有効期限を予め定めておき、同有効期限が経過すると、同メモリカードに記憶中のデータを消去するものである。
【０００８】
従って、特許文献１によれば、有効期限が経過すると、自動的に同メモリカードに記憶中のデータを消去するようにしたので、有効期限経過後のメモリカードの不正使用を防止することができる。
【０００９】
また、特許文献２は、例えば携帯電話機に記憶中の例えば電話帳データ等のデータのセキュリティに関するものであって、他の電話機から同携帯電話機に通信アクセスし、同携帯電話機側で他の電話機からの特定操作に対応したリモートアクセスを検出すると、同携帯電話機内部に記憶中のデータを消去するものである。
【００１０】
従って、特許文献２によれば、携帯電話機が紛失したとしても、他の電話機から同携帯電話機に通信アクセスし、遠隔操作で同携帯電話機に記憶中のデータを消去するようにしたので、携帯電話機に記憶中のデータのセキュリティを確保することができる。
【００１１】
【特許文献１】特許第２５１５７４１号公報（特許請求の範囲内の請求項1及び図1参照）
【特許文献２】特開平７−１９３８６５号公報（要約書及び図1参照）
【発明の開示】
【発明が解決しようとする課題】
【００１２】
しかしながら、上記従来の特許文献1によれば、有効期限が経過すると、メモリカードに記憶中のデータを自発的に消去することで、有効期限経過後のメモリカードの使用防止を想定したものであるが、例えばメモリカードの紛失や盗難にあったにも関わらず、同メモリカードの有効期限が経過するまではメモリカード内のデータにアクセスが可能となるため、紛失や盗難に対するデータのセキュリティを確保することができない。
【００１３】
また、上記従来の特許文献２によれば、ＵＳＢメモリ等の外部記憶媒体に関する技術分野ではないが、携帯電話機の紛失や盗難にあったとしても、他の電話機から携帯電話機に対して遠隔操作で同携帯電話機に記憶中の電話帳データを消去できるようにしたが、ユーザ自身が紛失や盗難に気がつかなければ、携帯電話機のデータを消去することができないために、紛失や盗難に対するデータのセキュリティを確保することができない。
【００１４】
本発明は上記点に鑑みてなされたものであり、その目的とするところは、外部記憶媒体の紛失や盗難に対してユーザ自身が紛失や盗難を認識しなくても、同外部記憶媒体のデータのセキュリティを確保することができる外部記憶媒体セキュリティ管理システム及び外部記憶媒体セキュリティ管理方法を提供することにある。
【課題を解決するための手段】
【００１５】
上記目的を達成するために本発明の外部記憶媒体セキュリティ管理システムは、データを記憶するデータ記憶領域を備えた携帯可能な外部記憶媒体と、この外部記憶媒体と無線通信して同外部記憶媒体をセキュリティ管理する外部制御装置とを有する外部記憶媒体セキュリティ管理システムであって、前記外部記憶媒体は、タイマ時間を設定するタイマ時間設定手段と、前記外部制御装置からの起動コマンドに応じて、前記タイマ時間設定手段にて設定したタイマ時間の計時動作を開始すると、同タイマ時間がタイムアップしたか否かを判定するタイマ時間監視判定手段と、このタイマ時間監視判定手段にて同タイマ時間がタイムアップしたと判定されると、前記データ記憶領域に記憶中のデータを消去する制御手段とを有するようにした。
【００１６】
本発明の外部記憶媒体セキュリティ管理システムは、データを記憶するデータ記憶領域を備えた携帯可能な外部記憶媒体と、この外部記憶媒体と無線通信して同外部記憶媒体をセキュリティ管理する外部制御装置とを有する外部記憶媒体セキュリティ管理システムであって、前記外部記憶媒体は、タイマ時間を設定するタイマ時間設定手段と、前記外部制御装置からの起動コマンドに応じて、前記タイマ時間設定手段にて設定したタイマ時間の計時動作を開始すると、同タイマ時間がタイムアップしたか否かを判定するタイマ時間監視判定手段と、このタイマ時間監視判定手段にて同タイマ時間がタイムアップしたと判定されると、タイムアップ通知を前記外部制御装置に通知し、前記外部制御装置からのデータ消去コマンドを検出すると、前記データ記憶領域に記憶中のデータを消去する制御手段とを有するようにした。
【００１７】
本発明の外部記憶媒体セキュリティ管理システムは、前記制御手段が、前記タイマ時間監視判定手段にて同タイマ時間がタイムアップしたと判定されると、タイムアップ通知を前記外部制御装置に通知し、前記外部制御装置からのリセットコマンドを検出すると、現在のタイマ時間の計時動作をリセットした後、再度、前記タイマ時間設定手段にて設定したタイマ時間の計時動作を開始すべく、前記タイマ時間監視判定手段を制御するようにした。
【００１８】
本発明の外部記憶媒体セキュリティ管理システムは、前記タイマ時間監視判定手段が、前記外部制御装置からの起動コマンドを検出すると、前記タイマ時間の計時動作を開始するようにした。
【００１９】
本発明の外部記憶媒体セキュリティ管理システムは、データを記憶するデータ記憶領域を備えた携帯可能な外部記憶媒体と、この外部記憶媒体と所定周期間隔でポーリング通信を実行して同外部記憶媒体をセキュリティ管理する外部制御装置とを有する外部記憶媒体セキュリティ管理システムであって、前記外部記憶媒体は、前記外部制御装置とのポーリング通信が所定周期内にあるか否かを判定するポーリング通信監視手段と、このポーリング通信監視手段にて前記外部制御装置とのポーリング通信が所定周期内にないと判定されると、前記データ記憶領域に記憶中のデータを消去する制御手段とを有するようにした。
【００２０】
本発明の外部記憶媒体セキュリティ管理システムは、前記外部記憶媒体が、タイマ時間を設定するタイマ時間設定手段と、このタイマ時間設定手段にて設定したタイマ時間の計時動作を開始すると、同タイマ時間がタイムアップしたか否かを判定するタイマ時間監視判定手段とを有し、前記制御手段は、前記ポーリング通信監視手段にて前記外部制御装置とのポーリング通信が所定周期内にないと判定されると、前記タイマ時間の計時動作を開始すべく、前記タイマ時間監視判定手段を制御し、同タイマ時間監視判定手段にて同タイマ時間がタイムアップしたと判定されると、前記データ記憶領域に記憶中のデータを消去するようにした。
【００２１】
本発明の外部記憶媒体セキュリティ管理システムは、前記制御手段が、前記データ記憶領域に記憶中のデータの外部読出アクセスを検出した後、前記ポーリング通信監視手段にて前記外部制御装置とのポーリング通信が所定周期内にあると判定されると、前記データ記憶領域に記憶中のデータの読み出しを許可し、前記ポーリング通信監視手段にて前記外部制御装置とのポーリング通信が所定周期内にないと判定されると、前記データ記憶領域に記憶中のデータを消去するようにした。
【００２２】
また、上記目的を達成するために本発明の外部記憶媒体セキュリティ管理方法は、データを記憶するデータ記憶領域を備えた携帯可能な外部記憶媒体と、この外部記憶媒体と無線通信する外部制御装置とを備え、前記外部制御装置が同外部記憶媒体をセキュリティ管理する方法であって、前記外部制御装置からの起動コマンドに応じて、前記外部記憶媒体側で設定したタイマ時間の計時動作を開始して、同タイマ時間がタイムアップすると、前記データ記憶領域に記憶中のデータを消去するするようにした。
【００２３】
本発明の外部記憶媒体セキュリティ管理方法は、データを記憶するデータ記憶領域を備えた携帯可能な外部記憶媒体と、この外部記憶媒体と無線通信する外部制御装置とを備え、前記外部制御装置が同外部記憶媒体をセキュリティ管理する方法であって、前記外部制御装置からの起動コマンドに応じて、前記外部記憶媒体側で設定したタイマ時間の計時動作を開始して同タイマ時間がタイムアップすると、タイムアップ通知を前記外部制御装置に通知し、前記外部制御装置からのデータ消去コマンドを検出すると、前記データ記憶領域に記憶中のデータを消去するようにした。
【００２４】
本発明の外部記憶媒体セキュリティ管理方法は、前記外部制御装置からのリセットコマンドを検出すると、現在のタイマ時間の計時動作をリセットし、同リセット後、再度、改めて前記タイマ時間の計時動作を開始するようにした。
【００２５】
本発明の外部記憶媒体セキュリティ管理方法は、データを記憶するデータ記憶領域を備えた携帯可能な外部記憶媒体と、この外部記憶媒体と所定周期間隔でポーリング通信を実行する外部制御装置とを備え、前記外部制御装置が同外部記憶媒体をセキュリティ管理する方法であって、前記外部記憶媒体側にて前記外部制御装置とのポーリング通信が所定期間内にあるか否かを判定し、前記外部制御装置とのポーリング通信が所定期間内にないと判定されると、前記データ記憶領域に記憶中のデータを消去するようにした。
【発明の効果】
【００２６】
上記のように構成された本発明の外部記憶媒体セキュリティ管理システムによれば、外部記憶媒体と、この外部記憶媒体と無線接続する外部制御装置とを備え、前記外部制御装置からの起動コマンドに応じて、前記外部記憶媒体側にてタイマ時間の計時動作を開始して、同タイマ時間がタイムアップしたと判定されると、外部記憶媒体に記憶中のデータを消去するようにしたので、例えば外部記憶媒体の紛失や盗難があった時点で外部制御装置が起動コマンドを自動的に発生するようにした場合、ユーザ自身が紛失や盗難を認識しなくても、紛失や盗難に対して外部記憶媒体のデータのセキュリティを確保することができる。
【００２７】
本発明の外部記憶媒体セキュリティ管理システムによれば、外部記憶媒体と、この外部記憶媒体と無線接続する外部制御装置とを備え、前記外部制御装置からの起動コマンドに応じて、前記外部記憶媒体側にてタイマ時間の計時動作を開始して、同タイマ時間がタイムアップしたと判定されるとタイムアップ通知を外部制御装置に通知し、外部制御装置からのデータ消去コマンドを検出すると、外部記憶媒体に記憶中のデータを消去するようにしたので、例えば外部記憶媒体の紛失や盗難があった時点で外部制御装置が起動コマンドを自動的に発生するようにした場合、ユーザ自身が紛失や盗難を認識しなくても、タイムアップ通知で同紛失や盗難を認識することができ、しかも、ユーザ側で外部記憶媒体のデータの消去の要否を選択することができ、その結果、外部記憶媒体に記憶中のデータのセキュリティを確保することができる。
【００２８】
本発明の外部記憶媒体セキュリティ管理システムによれば、同タイマ時間がタイムアップしたと判定されるとタイムアップ通知を外部制御装置に通知し、前記外部制御装置からのリセットコマンドを検出すると、現在のタイマ時間の計時動作をリセットした後、再度、前記タイマ時間の計時動作を開始すべく、前記タイマ時間監視判定手段を制御するようにしたので、タイマ時間がタイムアップしたとしても、ユーザ側の操作でデータを消去せずに、タイマ時間の計時動作を再度開始することもできる。
【００２９】
本発明の外部記憶媒体セキュリティ管理システムによれば、外部記憶媒体と、この外部記憶媒体と所定周期間隔でポーリング通信する外部制御装置とを備え、前記外部記憶媒体側にて前記外部制御装置とのポーリング通信が所定周期内にないと判定されると、データ記憶領域に記憶中のデータを消去するようにしたので、ポーリング通信が所定周期内にないと判定された時点で、例えば紛失や盗難があったものと判断し、紛失や盗難に対して外部記憶媒体のデータのセキュリティを確保することができる。
【００３０】
本発明の外部記憶媒体セキュリティ管理システムによれば、ポーリング通信が所定周期内にないと判定されると、タイマ時間の計時動作を開始し、さらに、同タイマ時間がタイムアップしたと判定されると、データ記憶領域に記憶中のデータを消去するようにしたので、ポーリング通信が所定周期内になくなった後、タイマ時間経過後にデータを消去することができる。
【００３１】
本発明の外部記憶媒体セキュリティ管理システムによれば、外部読出アクセスを検出した後、外部制御装置とのポーリング通信が所定周期内にあると判定されると、記憶中のデータの読み出しを許可し、ポーリング通信が所定周期内にないと判定されると、記憶中のデータを消去するようにしたので、外部記憶媒体に対する外部読出アクセスを検出したとしても、ポーリング通信が所定周期内にない場合にはデータに対する不正アクセスであると判断してデータを消去するため、紛失や盗難に対して外部記憶媒体のデータのセキュリティを確保することができる。
【００３２】
本発明の外部記憶媒体セキュリティ管理方法によれば、外部記憶媒体及び外部制御装置間を無線接続し、外部制御装置からの起動コマンドに応じて、前記外部記憶媒体側にてタイマ時間の計時動作を開始して、同タイマ時間がタイムアップしたと判定されると、外部記憶媒体に記憶中のデータを消去するようにしたので、例えば外部記憶媒体の紛失や盗難があった時点で外部制御装置が起動コマンドを自動的に発生するようにした場合、ユーザ自身が紛失や盗難を認識しなくても、紛失や盗難に対して外部記憶媒体のデータのセキュリティを確保することができる。
【００３３】
本発明の外部記憶媒体セキュリティ管理方法によれば、外部記憶媒体及び外部制御装置間を無線接続し、前記外部制御装置からの起動コマンドに応じて、前記外部記憶媒体側にてタイマ時間の計時動作を開始して、同タイマ時間がタイムアップしたと判定されるとタイムアップ通知を外部制御装置に通知し、外部制御装置からのデータ消去コマンドを検出すると、外部記憶媒体に記憶中のデータを消去するようにしたので、例えば外部記憶媒体の紛失や盗難があった時点で外部制御装置が起動コマンドを自動的に発生するようにした場合、ユーザ自身が紛失や盗難を認識しなくても、タイムアップ通知で同紛失や盗難を認識することができ、しかも、ユーザ側で外部記憶媒体のデータの消去の要否を選択することができ、その結果、外部記憶媒体に記憶中のデータのセキュリティを確保することができる。
【００３４】
本発明の外部記憶媒体セキュリティ管理方法によれば、同タイマ時間がタイムアップしたと判定されるとタイムアップ通知を外部制御装置に通知し、前記外部制御装置からのリセットコマンドを検出すると、現在のタイマ時間の計時動作をリセットした後、再度、前記タイマ時間の計時動作を開始するようにしたので、タイマ時間がタイムアップしたとしても、ユーザ側の操作でデータを消去せずに、タイマ時間の計時動作を再度開始することができる。
【００３５】
本発明の外部記憶媒体セキュリティ管理方法によれば、外部記憶媒体及び外部制御装置間を所定周期間隔でポーリング通信し、前記外部記憶媒体側にて前記外部制御装置とのポーリング通信が所定周期内にないと判定されると、データ記憶領域に記憶中のデータを消去するようにしたので、ポーリング通信が所定周期内にないと判定された時点で、例えば紛失や盗難があったものと判断し、紛失や盗難に対して外部記憶媒体のデータのセキュリティを確保することができる。
【発明を実施するための最良の形態】
【００３６】
以下、図面に基づき本発明の外部記憶媒体セキュリティ管理システムに関わる実施の形態を、外部記憶媒体としてＵＳＢメモリを使用するセキュリティシステムを例にとり説明する。
（実施の形態１）
図１は第１の実施の形態を示すＵＳＢメモリ用セキュリティシステムの全体構成を示すシステム構成図である。
【００３７】
図１に示すＵＳＢメモリ用セキュリティシステム１は、例えばパソコンのＵＳＢ端子に接続して大容量のデータを記憶するデータ記憶部を備えた携帯可能なＵＳＢメモリ２と、このＵＳＢメモリ２と無線通信すると共に、同ＵＳＢメモリ２をセキュリティ管理する管理制御端末装置（以下、単に管理端末と称する）３とを有している。
【００３８】
ＵＳＢメモリ２及び管理端末３は、所定周期間隔でポーリング通信を実行するものである。尚、管理端末３は、例えば携帯電話機に代用するようにしても良い。
【００３９】
図２は第１の実施の形態に関わるＵＳＢメモリ２内部の概略構成を示すブロック図である。
【００４０】
図２に示すＵＳＢメモリ２は、パソコン側のＵＳＢ端子に接続する接続インタフェース部２１と、書込みアクセスに応じて、接続インタフェース部２１を通じてパソコンからのデータを入力すると共に、読出アクセスに応じて記憶中のデータを出力するデータ記憶部２２と、メモリ側アンテナ２３経由で管理端末３と無線通信するメモリ側通信部２４と、様々な信号処理を施すメモリ側信号処理部２５と、ＵＳＢメモリ２に電力を供給するメモリ側バッテリー部２６と、様々な警報を表示出力するＬＥＤ２７と、メモリ側バッテリー部２６を制御するメモリ側電源制御部２８と、このＵＳＢメモリ２全体を制御するメモリ側制御部２９とを有している。
【００４１】
接続インタフェース部２１は、ＵＳＢ端子を通じてデータを入出力するデータ用インタフェース２１Ａと、ＵＳＢ端子を通じて電力を供給する電力給電部２１Ｂとを有している。尚、メモリ側電源制御部２８は、電力給電部２１Ｂを通じて電力の供給を受けると、メモリ側バッテリー部２６に電力を充電するものである。
【００４２】
メモリ側制御部２９は、管理端末３との無線通信を監視するメモリ側通信監視部２９Ａと、データ記憶部２２を記憶制御するメモリ側記憶制御部２９Ｂと、タイマ時間の計時動作を実行するメモリ側タイマ部２９Ｃと、タイマ時間を監視するタイマ時間監視部２９Ｄと、メモリ側バッテリー部２６の電池残量を検出するバッテリー残量確認部２９Ｅと、データ記憶部２２のメモリ残量を検出するメモリ残量確認部２９Ｆと、管理端末３に対する自己の登録ＩＤを管理するメモリ側ＩＤ処理部２９Ｇとを有している。
【００４３】
図３は第１の実施の形態に関わる管理端末３内部の概略構成を示すブロック図である。
【００４４】
図３に示す管理端末３は、管理側アンテナ３１経由でＵＳＢメモリ２と無線通信する管理側通信部３２と、様々な信号処理を施す管理側信号処理部３３と、例えば入力部３４Ａ、表示部３４Ｂ、スピーカ３４Ｃ及びマイク３４Ｄ等の周辺装置部３４と、周辺装置部３４との入出力インタフェースを司るＩ／Ｏ制御部３５と、管理端末３に電力を供給する管理側バッテリー部３６と、この管理側バッテリー部３６を制御する管理側電源制御部３７と、管理側バッテリー部３６に外部電力を給電するための外部電源給電ポート３８と、様々なデータ処理を施すデータ処理部３９と、各ＵＳＢメモリ２に関わるＩＤ管理テーブル等を記憶する記憶部４０と、この管理端末３全体を制御する管理側制御部４１とを有している。
【００４５】
管理側制御部４１は、管理側通信部３２を通じてＵＳＢメモリ２との無線通信を監視する管理側通信監視部４１Ａと、タイマ時間の計時動作を実行する管理側タイマ部４１Ｂと、ＵＳＢメモリ２に対してコマンドを指示するコマンド制御部４１Ｃと、ＵＳＢメモリ２のＩＤを登録判定するＩＤ判定・登録部４１Ｄとを有している。
【００４６】
図４は記憶部４０内部のＩＤ管理テーブル４０Ａのテーブル内容を端的に示す説明図である。
【００４７】
管理端末３は、複数個のＵＳＢメモリ２のＩＤを登録可能とし、ＩＤ管理テーブル４０Ａは、ＵＳＢメモリ２を識別するメモリＩＤ４０ａと、同ＵＳＢメモリ２のパスワード４０ｂと、同ＵＳＢメモリ２に設定した消去用タイマ時間４０ｃと、同ＵＳＢメモリ２の現在状況４０ｄとを記憶管理している。尚、管理端末３では、登録済みのＵＳＢメモリ２と所定周期間隔でポーリング通信を実行するため、同ＵＳＢメモリ２の現在状況を記憶管理しているものとする。
【００４８】
尚、請求項記載の外部記憶媒体はＵＳＢメモリ２、データ記憶領域はデータ記憶部２２、外部制御装置は管理端末３、外部記憶媒体セキュリティ管理システムはＵＳＢメモリ用セキュリティシステム１、タイマ時間設定手段及びタイマ時間監視判定手段はメモリ側タイマ部２９Ｃ及びタイマ時間監視部２９Ｄ、制御手段はメモリ側記憶制御部２９Ｂ、ポーリング通信監視手段はメモリ側通信監視部２９Ａに相当するものである。
【００４９】
次に第１の実施の形態を示すＵＳＢメモリ用セキュリティシステム１の動作について説明する。図５は第１の実施の形態に関わるＵＳＢメモリ２及び管理端末３間のＩＤ登録処理に関わる処理動作を示すシーケンスである。
【００５０】
図５に示すＩＤ登録処理は、ＵＳＢメモリ２及び管理端末３間でＩＤを登録すると共に、消去用タイマ時間を設定登録するための処理である。
【００５１】
管理端末３の管理側制御部４１は、入力部３４Ａを通じて、ＩＤ登録要求に関わるＵＳＢメモリ２のメモリＩＤ及びパスワードを入力すると（ステップＳ１０１）、コマンド制御部４１Ｃを通じて同メモリＩＤ及びパスワードを含むＩＤ登録要求コマンドをＵＳＢメモリ２に通知すると共に（ステップＳ１０２）、応答待ちタイマをスタートする（ステップＳ１０３）。
【００５２】
ＵＳＢメモリ２のメモリ側制御部２９は、ＩＤ登録要求コマンドを検出すると、ＩＤロック済みであるか否かを判定する（ステップＳ１０４）。尚、ＩＤロック済みの場合とは、既にＩＤが管理端末３側のＩＤ管理テーブル４０Ａ内に登録済みであることを示し、ＩＤロック済みでない場合とは、ＩＤが管理端末３側のＩＤ管理テーブル４０Ａ内に未登録であることを示している。
【００５３】
メモリ側制御部２９は、ＩＤロック済みでないと判定されると、ステップＳ１０２のＩＤ登録要求コマンドに応答すべく、ＩＤ登録要求応答を管理端末３に通知する（ステップＳ１０５）。管理端末３内の管理側制御部４１は、ＩＤ登録要求応答を受信したか否かを判定する（ステップＳ１０６）。
【００５４】
管理側制御部４１は、ＩＤ登録要求応答を受信したのでなければ、ステップＳ１０３にてスタートした応答待ちタイマがタイムアップしたか否かを判定する（ステップＳ１０７）。
【００５５】
管理側制御部４１は、応答待ちタイマがタイムアップしたのでなければ、ＩＤ登録要求応答を受信したか否かを監視すべく、ステップＳ１０６に移行する。
【００５６】
管理側制御部４１は、ＩＤ登録要求応答を受信したのであれば、このＵＳＢメモリ２のメモリＩＤをＩＤ管理テーブル４０Ａに登録する（ステップＳ１０８）。管理側制御部４１は、ＩＤ管理テーブル４０Ａに登録すると、コマンド制御部４１Ｃを通じてＩＤ登録完了コマンドをＵＳＢメモリ２に通知する（ステップＳ１０９）。
【００５７】
ＵＳＢメモリ２のメモリ側制御部２９は、ＩＤ登録完了コマンドを検出すると、メモリ側ＩＤ処理部２９ＧにてＩＤロック済みとする（ステップＳ１１０）。
【００５８】
また、管理側制御部４１は、ステップＳ１０９にてＩＤ登録完了コマンドをＵＳＢメモリ２に通知すると、入力部３４Ａを通じて同ＵＳＢメモリ２に対応した消去用タイマ時間を設定入力し（ステップＳ１１１）、コマンド制御部４１Ｃを通じて、消去用タイマ設定コマンドをＵＳＢメモリ２に通知する（ステップＳ１１２）。尚、この際、ＩＤ管理テーブル４０Ａでは、ＵＳＢメモリ２に対応したメモリＩＤ、パスワード及び消去用タイマ時間が設定登録されることになる。
【００５９】
ＵＳＢメモリ２のメモリ側制御部２９は、消去用タイマ設定コマンドを検出すると、消去用タイマ設定コマンドに含まれる消去用タイマ時間を設定登録し（ステップＳ１１３）、タイマ登録完了を管理端末３に通知する（ステップＳ１１４）。
【００６０】
管理端末３の管理側制御部４１は、タイマ登録完了を受信すると、コマンド制御部４１Ｃを通じてタイマ同期要求コマンドをＵＳＢメモリ２に通知する（ステップＳ１１５）。ＵＳＢメモリ２のメモリ側制御部２９は、タイマ同期要求コマンドを検出すると、管理端末３とタイマ同期をとるべく、タイマ同期を設定し（ステップＳ１１６）、同期設定完了を管理端末３に通知することで（ステップＳ１１７）、この処理動作を終了する。
【００６１】
また、管理端末３の管理側制御部４１は、ステップＳ１０７にて応答待ちタイマがタイムアップしたのであれば、この処理動作を終了する。
【００６２】
また、ＵＳＢメモリ２のメモリ側制御部２９は、ステップＳ１０４にてＩＤロック済みであると判定されると、既にＩＤが登録済みであると判断し、この処理動作を終了する。
【００６３】
図５に示すＩＤ登録処理によれば、管理端末３側でＵＳＢメモリ２毎にメモリＩＤを登録管理すると共に、同ＵＳＢメモリ２毎に消去用タイマ時間を設定登録することができる。
【００６４】
図６は第１の実施の形態のタイマ型データ消去処理に関わるＵＳＢメモリ２のメモリ側制御部２９の処理動作を示すフローチャートである。
【００６５】
図６に示すタイマ型データ消去処理とは、管理端末３からの消去タイマ起動コマンドを検出すると、消去用タイマ時間の計時動作を開始し、消去用タイマ時間経過後に、同データ記憶部２２に記憶中のデータを自動的に消去する処理である。
【００６６】
ＵＳＢメモリ２内のメモリ側制御部２９は、管理端末３からのメモリ側タイマ２９Ｃ内の消去用タイマを起動する消去タイマ起動コマンドを検出したか否かを判定する（ステップＳ１１）。尚、消去タイマ起動コマンドは、消去用タイマの計時動作を開始するコマンドに相当するものである。
【００６７】
メモリ側制御部２９は、メモリ側タイマ部２９Ｃの計時動作を初期化し（ステップＳ１２）、メモリ側タイマ部２９Ｃによる設定中の消去用タイマ時間の計時動作を開始する（ステップＳ１３）。
【００６８】
メモリ側制御部２９は、バッテリー残量確認部２９Ｅを通じてメモリ側バッテリー部２６の電池残量を検出し（ステップＳ１４）、電池残量が所定量以上であるか否かを判定する（ステップＳ１５）。
【００６９】
メモリ側制御部２９は、電池残量が所定量以上でないと判定されると、メモリ側バッテリー部２６の電池残量が少なく、管理端末３との無線通信が中断されてしまう虞があるものと判断し、電池残アラームを管理端末３に通知すると共に（ステップＳ１６）、タイマ時間監視部２９Ｄを通じてステップＳ１３にて開始した消去用タイマ時間がタイムアップしたか否かを判定する（ステップＳ１７）。尚、管理端末３のユーザは、電池残アラームに基づきＵＳＢメモリ２の電池残量が少ないことを認識することができる。
【００７０】
メモリ側制御部２９は、消去用タイマ時間がタイムアップしたのであれば、メモリ側記憶制御部２９Ｂを通じて、データ記憶部２２に記憶中のデータを消去し（ステップＳ１８）、メモリ側タイマ部２９Ｃにて現在計時中の計時動作を停止すべくタイマストップ動作を実行し（ステップＳ１９）、データ消去完了を管理端末３に通知することで（ステップＳ２０）、この処理動作を終了する。尚、管理端末３のユーザは、データ消去完了に基づきＵＳＢメモリ２内のデータが消去されたことを認識することができる。
【００７１】
また、メモリ側制御部２９は、ステップＳ１１にて消去タイマ起動コマンドを検出したのでなければ、この処理動作を終了する。
【００７２】
メモリ側制御部２９は、ステップＳ１５にて電池残量が所定量以上であると判定されると、消去用タイマ時間がタイムアップしたか否かを監視すべく、ステップＳ１７に移行する。メモリ側制御部２９は、消去用タイマ時間がタイムアップしたのでなければ、電池残量を監視すべく、ステップＳ１４に移行する。
【００７３】
図６に示すタイマ型データ消去処理によれば、管理端末３から消去タイマ起動コマンドを検出すると、現在設定中の消去用タイマ時間の計時動作を開始し、消去用タイマ時間経過後にデータ記憶部２２に記憶中のデータを自動的に消去することができる。
【００７４】
第１の実施の形態によれば、ＵＳＢメモリ２と、このＵＳＢメモリ２と無線接続する管理端末３とを備え、管理端末３からの消去タイマ起動コマンドに応じて、ＵＳＢメモリ２側にて消去用タイマ時間の計時動作を開始して、同消去用タイマ時間がタイムアップしたと判定されると、ＵＳＢメモリ２のデータ記憶部２２に記憶中のデータを消去するようにしたので、例えばＵＳＢメモリ２の紛失や盗難があった時点で管理端末３が消去タイマ起動コマンドを自動的に発生するようにした場合、ユーザ自身が紛失や盗難を認識しなくても、紛失や盗難に対してＵＳＢメモリ２のデータのセキュリティを確保することができる。
【００７５】
尚、上記第１の実施の形態においては、図６に示すように消去タイマ時間経過後にデータ記憶部２２に記憶中のデータを自動的に消去するようにしたが、データの消去を管理端末３側のユーザの意思に委ねるようにしても良く、この場合の動作につき、第２の実施の形態として説明する。
（実施の形態２）
尚、第１の実施の形態を示すＵＳＢメモリ用セキュリティシステム１と同一のものには同一符号を付すことで、その重複する構成及び動作の説明については省略する。
【００７６】
図７は第２の実施の形態のタイマ型データ消去処理に関わるＵＳＢメモリ２内部のメモリ側制御部２９の処理動作を示すフローチャートである。
【００７７】
図７に示すタイマ型データ消去処理は、消去タイマ起動コマンドを検出すると、消去タイマ時間の計時動作を開始し、消去タイマ時間経過後にデータ消去要否通知を管理端末３に通知し、データ消去の要否を管理端末３側のユーザの意思に委ねる処理である。
【００７８】
ＵＳＢメモリ２内のメモリ側制御部２９は、管理端末３からの消去用タイマ時間を起動する消去タイマ起動コマンドを検出したか否かを判定する（ステップＳ３１）。尚、消去タイマ起動コマンドは、消去用タイマ時間の計時動作を開始するコマンドに相当するものである。
【００７９】
メモリ側制御部２９は、メモリ側タイマ部２９Ｃの計時動作を初期化し（ステップＳ３２）、設定中の消去用タイマ時間の計時動作を開始する（ステップＳ３３）。
【００８０】
メモリ側制御部２９は、バッテリー残量確認部２９Ｅを通じてメモリ側バッテリー部２６の電池残量を検出し（ステップＳ３４）、電池残量が所定量以上であるか否かを判定する（ステップＳ３５）。
【００８１】
メモリ側制御部２９は、電池残量が所定量以上でないと判定されると、メモリ側バッテリー部２６の電池残量が少なく、管理端末３との無線通信が中断されてしまうものと判断し、電池残アラームを管理端末３に通報し（ステップＳ３６）、タイマ時間監視部２９Ｄを通じてステップＳ３３にて開始した消去用タイマ時間がタイムアップしたか否かを判定する（ステップＳ３７）。尚、管理端末３のユーザは、電池残アラームに基づきＵＳＢメモリ２の電池残量が少ないことを認識することができる。
【００８２】
メモリ側制御部２９は、消去用タイマ時間がタイムアップしたのであれば、データ消去要否通知を管理端末３に通報する（ステップＳ３８）。尚、データ消去要否通知に基づき、管理端末３のユーザに対して、ＵＳＢメモリ２内のデータ消去要否を促すことができる。
【００８３】
メモリ側制御部２９は、管理端末３から消去コマンドを検出したか否かを判定する（ステップＳ３９）。尚、管理端末３のコマンド制御部４１Ｃは、消去コマンド操作に応じて消去コマンドをＵＳＢメモリ２に通知するものである。
【００８４】
メモリ側制御部２９は、管理端末３から消去コマンドを検出したのであれば、データ記憶部２２に記憶中のデータを消去し（ステップＳ４０）、メモリ側タイマ部２９Ｃにて現在計時中の計時動作を停止すべくタイマストップ動作を実行し（ステップＳ４１）、データ消去完了を管理端末３に通知することで（ステップＳ４２）、この処理動作を終了する。
【００８５】
また、メモリ側制御部２９は、ステップＳ３９にて消去コマンドを検出したのでなければ、管理端末３からリセットコマンドを検出したか否かを判定する（ステップＳ４３）。尚、管理端末３のコマンド制御部４１Ｃは、リセットコマンド操作に応じてリセットコマンドをＵＳＢメモリ２に通知するものである。
【００８６】
メモリ側制御部２９は、リセットコマンドを検出したのであれば、消去用タイマ時間の計時動作を初期化すべく、ステップＳ３２に移行するものである。
【００８７】
また、メモリ側制御部２９は、ステップＳ４３にてリセットコマンドを検出したのでなければ、消去コマンドの検出を監視すべく、ステップＳ３９に移行する。
【００８８】
また、メモリ側制御部２９は、ステップＳ３１にて消去タイマ起動コマンドを検出したのでなければ、この処理動作を終了する。
【００８９】
メモリ側制御部２９は、ステップＳ３５にて電池残量が所定量以上であると判定されると、消去用タイマ時間がタイムアップしたか否かを監視すべく、ステップＳ３７に移行する。メモリ側制御部２９は、ステップＳ３７にて消去用タイマ時間がタイムアップしたのでなければ、電池残量を監視すべく、ステップＳ３４に移行する。
【００９０】
図７に示すタイマ型データ消去処理によれば、管理端末３からの消去タイマ起動コマンドを検出すると、消去タイマ時間の計時動作を開始し、消去タイマ時間経過後にデータ消去要否通知を管理端末３に通知すると共に、データ消去要否通知後、管理端末３から消去コマンドを検出すると、データ記憶部２２に記憶中のデータを消去すると共に、リセットコマンドを検出すると、計時中のタイマを一度リセットした後、消去タイマ時間の計時動作を再開することができる。
【００９１】
第２の実施の形態によれば、ＵＳＢメモリ２と、このＵＳＢメモリ２と無線接続する管理端末３とを備え、管理端末３からの消去タイマ起動コマンドに応じて、ＵＳＢメモリ２側にて消去用タイマ時間の計時動作を開始して、同消去用タイマ時間がタイムアップしたと判定されると、データ消去要否通知を管理端末３に通知すると共に、管理端末３からのデータ消去コマンドを検出すると、ＵＳＢメモリ２に記憶中のデータを消去するようにしたので、例えばＵＳＢメモリ２の紛失や盗難があった時点で管理端末３が消去タイマ起動コマンドを自動的に発生するようにした場合、ユーザ自身が紛失や盗難を認識しなくても、データ消去要否通知で同紛失や盗難を認識することができ、しかも、ユーザ側でＵＳＢメモリ２のデータの消去の要否を選択することができ、その結果、ＵＳＢメモリ２に記憶中のデータのセキュリティを確保することができる。
【００９２】
第２の実施の形態によれば、同消去用タイマ時間がタイムアップしたと判定されると、データ消去要否通知を管理端末３に通知すると共に、管理端末３からのリセットコマンドを検出すると、現在計時中のタイマ時間の計時動作を一度リセットした後、再度、消去用タイマ時間の計時動作を再開するようにしたので、ユーザ側の操作でデータを消去せずに、タイマ時間の計時動作を再開することもできる。
【００９３】
尚、上記第１又は第２の実施の形態においては、管理端末３からの消去タイマ起動コマンドを検出すると、消去用タイマ時間の計時動作を開始するようにしたが、例えば管理端末３とのポーリング通信が中断した場合に消去用タイマ時間の計時動作を開始するようにしても良く、この場合の動作につき、第３の実施の形態として説明する。
（実施の形態３）
尚、第１の実施の形態を示すＵＳＢメモリ用セキュリティシステム１と同一のものには同一符号を付すことで、その重複する構成及び動作の説明については省略する。
【００９４】
図８は第３の実施の形態のポーリング通信型データ消去処理に関わるＵＳＢメモリ２内部のメモリ側制御部２９の処理動作を示すフローチャートである。
【００９５】
図８に示すポーリング通信型データ消去処理とは、所定期間内にポーリング通信がないと判定されると、消去用タイマ時間の計時動作を開始し、消去用タイマ時間経過後にデータ記憶部２２に記憶中のデータを消去する処理である。
【００９６】
ＵＳＢメモリ２内のメモリ側制御部２９は、所定期間を計時するポーリング監視タイマを初期化し（ステップＳ５１）、メモリ側タイマ部２９Ｃにてポーリング監視タイマ時間の計時動作を開始する（ステップＳ５２）。
【００９７】
メモリ側制御部２９は、メモリ側通信監視部２９Ａを通じて所定期間内に管理端末３のポーリング通信を検出したか否かを判定する（ステップＳ５３）。メモリ側制御部２９は、所定期間内に管理端末３のポーンリング通信を検出したのでなければ、メモリ側タイマ部２９Ｃの消去用タイマ時間の計時動作を初期化し（ステップＳ５４）、消去用タイマ時間の計時動作を開始する（ステップＳ５５）。
【００９８】
メモリ側制御部２９は、消去用タイマ時間の計時動作を開始すると、タイマ時間監視部２９Ｄを通じてステップＳ５５にて開始した消去用タイマ時間がタイムアップしたか否かを判定する（ステップＳ５６）。メモリ側制御部２９は、消去用タイマ時間がタイムアップしたのであれば、データ記憶部２２に記憶中のデータを消去し（ステップＳ５７）、メモリ側タイマ部２９Ｃにて現在計時中の計時動作を停止すべくタイマストップ動作を実行し（ステップＳ５８）、データ消去完了を報知すべく、ＬＥＤ２７を点灯表示し（ステップＳ５９）、この処理動作を終了する。尚、ＵＳＢメモリ２のユーザは、ＬＥＤ２７の点灯内容に応じてデータ記憶部２２に記憶中のデータ消去が完了したことを認識することができる。
【００９９】
また、メモリ側制御部２９は、ステップＳ５６にて消去用タイマ時間がタイムアップしたのでなければ、メモリ側通信監視部２９Ｄを通じてポーリング通信を検出したか否かを判定する（ステップＳ６０）。
【０１００】
メモリ側制御部２９は、ステップＳ６０にてポーリング通信を検出したのでなければ、消去用タイマ時間のタイムアップを監視すべく、ステップＳ５６に移行する。
【０１０１】
メモリ側制御部２９は、ステップＳ６０にてポーリング通信を検出したのであれば、消去用タイマ時間の計時動作を停止すべくタイマストップ動作を実行し（ステップＳ６１）、ポーリング監視タイマを再開すべく、ステップＳ５１に移行する。
【０１０２】
メモリ側制御部２９は、ステップＳ５３にて所定期間内にポーリング通信を検出したのであれば、正常であると判断し、所定期間の計時動作を再開すべく、ステップＳ５１に移行する。
【０１０３】
図８に示すポーリング通信型データ消去処理によれば、所定期間内に管理端末３とのポーリング通信を検出できなかったと判定されると、消去用タイマ時間の計時動作を開始し、消去用タイマ時間経過後、データ記憶部２２に記憶中のデータを消去することができる。
【０１０４】
第３の実施の形態によれば、ＵＳＢメモリ２と、このＵＳＢメモリ２と所定周期間隔でポーリング通信する管理端末３とを備え、ＵＳＢメモリ２側にて管理端末３とのポーリング通信が所定期間内にないと判定されると、消去用タイマ時間の計時動作を開始し、消去用タイマ時間経過後に、データ記憶部２２に記憶中のデータを消去するようにしたので、紛失や盗難に対してＵＳＢメモリ２内のデータのセキュリティを確保することができる。
【０１０５】
尚、上記第３の実施の形態においては、所定期間内に管理端末３とのポーリング通信を検出できなかったと判定されると、消去用タイマ時間経過後にデータを消去するようにしたが、例えば消去用タイマ時間を待たずとも、所定期間内に管理端末３とのポーリング通信を検出できなかった場合にデータを消去するようにしても良い。
【０１０６】
また、上記第１ないし第３の実施の形態においては、例えば消去用タイマ時間経過後の所定タイミングでＵＳＢメモリ２に記憶中のデータを消去するようにしたが、同ＵＳＢメモリ２への不正アクセスを検出した場合に同ＵＳＢメモリ２に記憶中のデータを消去するようにしても良く、この場合の動作につき、第４の実施の形態として説明する。
（実施の形態４）
尚、第１の実施の形態を示すＵＳＢメモリ用セキュリティシステム１と同一のものには同一符号を付すことで、その重複する構成及び動作の説明については省略する。
【０１０７】
図９は第４の実施の形態のＵＳＢメモリ不正アクセス防止処理に関わるＵＳＢメモリ２内部のメモリ側制御部２９の処理動作を示すフローチャートである。
【０１０８】
図９に示すＵＳＢメモリ不正アクセス防止処理とは、例えばＵＳＢメモリ２に対する第三者の不正アクセスを検出した場合は同不正アクセスによるデータ読出しを禁止する処理である。
【０１０９】
ＵＳＢメモリ２のメモリ側制御部２９は、接続インタフェース部２１を通じてデータアクセスを検出したか否かを判定する（ステップＳ７１）。
【０１１０】
メモリ側制御部２９は、データアクセスを検出したのであれば、メモリ側通信監視部２９Ａを通じて、管理端末３との通信、例えばポーリング通信を検出したか否かを判定する（ステップＳ７２）。
【０１１１】
メモリ側制御部２９は、管理端末３との通信、例えばポーリング通信を検出したのでなければ、不正アクセスであると判断し、この不正アクセスを報知すべく、不正アクセスを表示すると共に（ステップＳ７３）、データ消去を警告すべく、消去確認を表示する（ステップＳ７４）。尚、ステップＳ７３の不正アクセス表示及びステップＳ７４の消去確認表示は、ＵＳＢメモリ２上のＬＥＤ２７及び、アクセスしたパソコンの表示画面上に画面表示するものである。
【０１１２】
メモリ側制御部２９は、メモリ側タイマ部２９Ｃの消去確認用タイマ時間の計時動作を初期化し（ステップＳ７５）、消去確認用タイマ時間の計時動作を開始する（ステップＳ７６）。尚、消去確認用タイマ時間は、例えば５分程度とする。
【０１１３】
メモリ側制御部２９は、消去確認用タイマ時間の計時動作を開始すると、タイマ時間監視部２９Ｄを通じて消去確認用タイマ時間がタイムアップしたか否かを判定する（ステップＳ７７）。メモリ側制御部２９は、消去確認用タイマ時間がタイムアップしたのであれば、データ記憶部２２に記憶中のデータを消去し（ステップＳ７８）、消去確認用タイマ時間の計時動作を停止すべくタイムストップ動作を実行し（ステップＳ７９）、データ消去が完了したことを示すデータ消去完了を通知することで（ステップＳ８０）、この処理動作を終了する。尚、ＵＳＢメモリ２及びパソコンのユーザは、データ消去完了に基づき、ＬＥＤ２７若しくは画面上でデータが消去されたことを認識することができる。
【０１１４】
また、メモリ側制御部２９は、ステップＳ７７にて消去確認用タイマ時間がタイムアップしたのでなければ、メモリ側通信監視部２９Ａを通じて、管理端末３との通信、例えばポーリング通信を検出したか否かを判定する（ステップＳ８１）。
【０１１５】
メモリ側制御部２９は、ステップＳ８１にて管理端末３との通信、例えばポーリング通信を検出したのでなければ、消去確認用タイマ時間の計時動作を開始すべく、ステップＳ７７に移行すると共に、ステップＳ８１にて管理端末３との通信、例えばポーリング通信を検出したのであれば、正常であると判断し、データアクセスを許可して（ステップＳ８２）、この処理動作を終了する。つまり、ポーリング通信が正常の場合、管理端末３及びＵＳＢメモリ２が隣接しているものと判断し、同ＵＳＢメモリ２が紛失や盗難に合ってないものと判断することができる。
【０１１６】
また、メモリ側制御部２９は、ステップＳ７１にてデータアクセスを検出したのでなければ、この処理動作を終了する。また、メモリ側制御部２９は、ステップＳ７２にて管理端末３からの通信、例えばポーリング通信を検出したのであれば、正常であると判断し、データアクセスを許可すべく、ステップＳ８２に移行する。
【０１１７】
図９に示すＵＳＢメモリ不正アクセス防止処理によれば、ＵＳＢメモリ２へのデータアクセスを検出すると、管理端末３とのポーリング通信を検出したか否かを判定し、ポーリング通信を検出しなかった場合は不正アクセスであると判断し、消去確認用タイマ時間経過後にデータ記憶部２２に記憶中のデータを消去すると共に、ポーリング通信を検出した場合は正常アクセスであると判断してデータアクセスを許可することができる。
【０１１８】
第４の実施の形態によれば、ＵＳＢメモリ２側にて読出アクセスを検出した後、管理端末３とのポーリング通信が所定期間内にあると判定されると、記憶中のデータの読み出しを許可すると共に、ポーリング通信が所定期間内にないと判定されると、記憶中のデータを消去するようにしたので、ＵＳＢメモリ２に対する読出アクセスを検出したとしても、ポーリング通信が所定期間内にない場合にはデータに対する不正アクセスであると判断してデータを消去するため、紛失や盗難に対してＵＳＢメモリ２内のデータのセキュリティを確保することができる。
【産業上の利用可能性】
【０１１９】
本発明の外部記憶媒体セキュリティ管理方法によれば、外部記憶媒体及び外部制御装置間を無線接続し、外部制御装置からの起動コマンドに応じて、前記外部記憶媒体側にてタイマ時間の計時動作を開始して、同タイマ時間がタイムアップしたと判定されると、外部記憶媒体に記憶中のデータを消去するようにしたので、例えば外部記憶媒体の紛失や盗難があった時点で外部制御装置が起動コマンドを自動的に発生するようにした場合、ユーザ自身が紛失や盗難を認識しなくても、紛失や盗難に対して外部記憶媒体のデータのセキュリティを確保することができ、例えばＳＤカードやＵＳＢメモリ等の携帯可能な外部記憶媒体に有用である。
【図面の簡単な説明】
【０１２０】
【図１】本発明の外部記憶媒体セキュリティ管理システムに関わる第１の実施の形態を示すＵＳＢメモリ用セキュリティシステム全体の概略構成を示すシステム構成図である。
【図２】第１の実施の形態に関わるＵＳＢメモリ内部の概略構成を示すブロック図である。
【図３】第１の実施の形態に関わる管理端末内部の概略構成を示すブロック図である。
【図４】第１の実施の形態に関わる管理端末のＩＤ管理テーブルのテーブル内容を端的に示す説明図である。
【図５】第１の実施の形態に関わるＵＳＢメモリ及び管理端末間のＩＤ登録処理に関わる処理動作を示すシーケンスである。
【図６】第１の実施の形態に関わるタイマ型データ消去処理のＵＳＢメモリ内部のメモリ側制御部の処理動作を示すフローチャートである。
【図７】第２の実施の形態に関わるタイマ型データ消去処理のＵＳＢメモリ内部のメモリ側制御部の処理動作を示すフローチャートである。
【図８】第３の実施の形態に関わるポーリング通信型データ消去処理のＵＳＢメモリ内部のメモリ側制御部の処理動作を示すフローチャートである。
【図９】第４の実施の形態に関わるＵＳＢメモリ不正アクセス防止処理のＵＳＢメモリ内部のメモリ側制御部の処理動作を示すフローチャートである。
【符号の説明】
【０１２１】
１  ＵＳＢメモリ用セキュリティシステム（外部記憶媒体セキュリティ管理システム）
２  ＵＳＢメモリ（外部記憶媒体）
３  管理端末（外部制御装置）
２２  データ記憶部（データ記憶領域）
２９Ａ  メモリ側通信監視部（ポーリング通信監視手段）
２９Ｂ  メモリ側記憶制御部（制御手段）
２９Ｃ  メモリ側タイマ部（タイマ時間設定手段）
２９Ｄ  タイマ時間監視部（タイマ時間監視判定手段）
【図１】
2006330949.tif 000003
【図２】
2006330949.tif 000004
【図３】
2006330949.tif 000005
【図４】
2006330949.tif 000006
【図５】
2006330949.tif 000007
【図６】
2006330949.tif 000008
【図７】
2006330949.tif 000009
【図８】
2006330949.tif 000010
【図９】
2006330949.tif 000011